(57)【要約】  吸収性能の低下を招くことなく、圧搾溝の位置が幅方向にずれていたとしても、その位置ずれを消費者に認識し難くすることが可能な吸収性物品を提供する。  吸収性物品１は、表面シート４、裏面シート５及び吸収体３を備え、一対の圧搾溝１１ａ、１１ｂを含む。吸収性物品は、一対の圧搾溝から長手方向Ｌの一方に向って離れた位置に、幅方向Ｗに沿って並んだ第１の圧搾部２１及び第２の圧搾部２２を備える。第１の圧搾部は平面視で第１のパターンを形成する溝を含み、第１のパターンの重心Ｇ２１は長手方向中心線ＣＬに対して一方側に位置する。第２の圧搾部は平面視で第１のパターンとは異なる第２のパターンを形成する溝を含み、第２のパターンの重心Ｇ２２は長手方向中心線に対して他方側に位置する。第１の圧搾部と第２の圧搾部とは、長手方向中心線に対する相対的な位置及び傾きの少なくとも一つが互いに異なる。
2018061218.tif 000002
【特許請求の範囲】
【請求項１】
長手方向、幅方向及び厚さ方向を有し、表面シート、裏面シート及び前記表面シートと前記裏面シートとの間に配置された吸収体を備え、長手方向中心線を挟んで両側の領域にそれぞれ位置する一対の圧搾溝を含む吸収性物品であって、
前記表面シートと前記吸収体とが厚さ方向に重なる領域において、前記一対の圧搾溝から前記長手方向の一方に向って離れた位置に、前記幅方向に沿って並んだ第１の圧搾部及び第２の圧搾部を備え、
前記一対の圧搾溝、前記第１の圧搾部及び前記第２の圧搾部は、前記表面シートと前記吸収体とを接合し、
前記第１の圧搾部は平面視で第１のパターンを形成する溝を含み、前記第１のパターンの重心は前記長手方向中心線に対して一方側に位置し、
前記第２の圧搾部は平面視で前記第１のパターンとは異なる第２のパターンを形成する溝を含み、前記第２のパターンの重心は前記長手方向中心線に対して他方側に位置し、
前記第１の圧搾部と前記第２の圧搾部とは、前記長手方向中心線に対する相対的な位置及び傾きの少なくとも一つが互いに異なる、
吸収性物品。
【請求項２】
前記第１の圧搾部及び前記第２の圧搾部の各々における前記幅方向の大きさは、前記吸収体の幅方向の大きさの１／１０以上、３／４以下である、
請求項１に記載の吸収性物品。
【請求項３】
前記第１の圧搾部及び前記第２の圧搾部における一方の前記幅方向の大きさは、他方の前記幅方向の大きさの２５％以上、４００％以下である、
請求項１又は２に記載の吸収性物品。
【請求項４】
前記第１の圧搾部の前記幅方向に沿った第１の基準線と前記長手方向中心線との成す第１の角度、及び、前記第２の圧搾部の前記幅方向に沿った第２の基準線と前記長手方向中心線との成す第２の角度は、３０°以上１５０°以下である、
請求項１乃至３のいずれか一項に記載の吸収性物品。
【請求項５】
前記第１の角度及び前記第２の角度の角度差は、０°以上、４０°以下である、
請求項４に記載の吸収性物品。
【請求項６】
前記第１の圧搾部及び前記第２の圧搾部の少なくとも一方は、複数の圧搾部から構成される、
請求項１乃至５のいずれか一項に記載の吸収性物品。
【請求項７】
前記表面シートと前記吸収体とが厚さ方向に重なる領域において、前記一対の圧搾溝から前記長手方向の他方に向って離れた位置に、前記幅方向に沿って並んだ第３の圧搾部及び第４の圧搾部を更に備え、
前記前記第３の圧搾部及び前記第４の圧搾部は、前記表面シートと前記吸収体とを接合し、
前記第３の圧搾部は、平面視で第３のパターンを形成する溝を含み、前記第３のパターンの重心が前記長手方向中心線に対して一方側に位置し、前記吸収体の一方の端縁に面しており、
前記第４の圧搾部は、平面視で前記第３のパターンとは異なる第４のパターンを形成する溝を含み、前記第４のパターンの重心が前記長手方向中心線に対して他方側に位置し、前記吸収体の他方の端縁に面しており、
前記第３の圧搾部と前記第４の圧搾部とは、前記長手方向中心線に対する相対的な位置及び傾きの少なくとも一つが互いに異なる、
請求項１乃至６のいずれか一項に記載の吸収性物品。
【請求項８】
前記一方の外側の前記複数の圧搾部の前記第１の圧搾部及び前記第２の圧搾部と前記長手方向中心線との成す第１の角度及び第２の角度と、前記他方の外側の前記複数の圧搾部の前記第３の圧搾部及び前記第２の圧搾部と前記長手方向中心線との成す第３の角度及び第４の角度とにおいて、前記第１の角度と前記第３の角度とは相違し、前記第２の角度と前記第４の角度とは相違する、
請求項７に記載の吸収性物品。
【請求項９】
前記第１の角度、前記第２の角度、前記第３の角度及び前記第４の角度は、互いに相違する、
請求項８に記載の吸収性物品。
【請求項１０】
前記第１の圧搾部の前記幅方向の大きさと、前記第２の圧搾部の前記幅方向の大きさと、前記第３の圧搾部の前記幅方向の大きさと、前記第４の圧搾部の前記幅方向の大きさとは、互いに相違する、
請求項７乃至９のいずれか一項に記載の吸収性物品。
【請求項１１】
前記第１の圧搾部と前記第２の圧搾部との間の前記幅方向の距離は、前記一対の圧搾溝に近づくに連れて大きくなり、
前記第３の圧搾部と前記第４の圧搾部との間の前記幅方向の距離は、前記一対の圧搾溝に近づくに連れて大きくなる、
請求項７乃至１０のいずれか一項に記載の吸収性物品。
【請求項１２】
前記吸収体の前記幅方向の両側の端縁は、前記幅方向の外側に対して凸に湾曲した外縁を有する凸湾曲領域と、前記幅方向の外側に対して凹に湾曲した外縁を有する凹湾曲領域とが、前記長手方向に沿って交互に連続した形状を有する、
請求項１乃至１１のいずれか一項に記載の吸収性物品。
【発明の詳細な説明】
【技術分野】
【０００１】
本発明は吸収性物品に関する。
【背景技術】
【０００２】
生理用ナプキンなどの吸収性物品として、表面シートと吸収体とを接合する一対の圧搾溝を備える吸収性物品が知られている。圧搾溝は、吸収性能の向上や変形性能の改善などのために形成される。例えば、特許文献１には、透液性表面シートと不透液性裏面シートとの間に吸収要素を備えた吸収性物品が開示されている。この吸収性物品は、吸収要素の長手方向の中心線の両側に、中心線を基準として略対称に、長手方向の中心線側へ向かって凸状に形成した一対の第１エンボスと、吸収要素の長手方向の中心線の両側に、中心線を基準として略対称に、長手方向の中心線側から吸収要素の幅方向外側へ向かって凸状に形成した一対の第２エンボスと、を設けている。中心線に対して、第２エンボスが、第１エンボスの外側にそれぞれ配置されている。
【先行技術文献】
【特許文献】
【０００３】
【特許文献１】特開２０１２−１２０７９２号公報
【発明の概要】
【発明が解決しようとする課題】
【０００４】
特許文献１のエンボスのような一対の圧搾溝は、吸収性能の向上などの観点から、それらの位置や形状が吸収体（吸収要素）の長手方向の中心線に対して線対称になるように形成されている。そして、消費者は、意識しているか否かに関わらず、装着時に、主に次の（１）〜（３）のいずれかの方法により一対の圧搾溝の位置（対称性を含む）を確認している。すなわち、（１）幅方向における、吸収体の一方の端縁とそれに対向する一方の圧搾溝との距離と、吸収体の他方の端縁とそれに対向する他方の圧搾溝との距離とを比較する。（２）幅方向における、一対の圧搾溝の間の中心位置と、吸収体の中心位置とを比較する。（３）幅方向における、一対の圧搾溝の間の中心位置と吸収体の一方の端縁との距離と、一対の圧搾溝の間の中心位置と吸収体の他方の端縁との距離とを比較する。【０００５】
このとき、製造上の理由から、製品における圧搾溝の幅方向の位置が、設計における圧搾溝の幅方向の位置からずれる場合がある。その場合、消費者は、上記（１）〜（３）に対応して、主に次の（ａ）〜（ｃ）のいずれかの事実により圧搾溝の幅方向の位置ずれを認識する。すなわち、（ａ）上記（１）の二つの距離の間に差が生じる。（ｂ）上記（２）の二つの中心位置の間にずれが生じる。（ｃ）上記（３）の二つの距離の間に差が生じる。その結果、消費者は、吸収性物品において圧搾溝の幅方向での位置がずれていると認識することになる。そのため、吸収性能には問題が無く良品であったとしても、消費者は、圧搾溝の位置が本来と異なるから、その吸収性物品を不良品と認識するおそれがある。【０００６】
そうかといって、不良品と認識されないように、すなわち位置ずれを認識し難くするために、一対の圧搾溝を取り除くことは、排泄液の外方への漏れや、無秩序な変形を生じ易くなり、吸収性能の低下や、装着性の低下を招くおそれがあり、好ましくない。【０００７】
本発明の目的は、吸収性能の低下を招くことなく、圧搾溝の位置が幅方向にずれていたとしても、その位置ずれを消費者に認識し難くすることが可能な吸収性物品を提供することにある。
【課題を解決するための手段】
【０００８】
本発明の吸収性物品は次のとおりである。
（１）長手方向、幅方向及び厚さ方向を有し、表面シート、裏面シート及び前記表面シートと前記裏面シートとの間に配置された吸収体を備え、長手方向中心線を挟んで両側の領域にそれぞれ位置する一対の圧搾溝を含む吸収性物品であって、前記表面シートと前記吸収体とが厚さ方向に重なる領域において、前記一対の圧搾溝から前記長手方向の一方に向って離れた位置に、前記幅方向に沿って並んだ第１の圧搾部及び第２の圧搾部を備え、前記一対の圧搾溝、前記第１の圧搾部及び前記第２の圧搾部は、前記表面シートと前記吸収体とを接合し、前記第１の圧搾部は平面視で第１のパターンを形成する溝を含み、前記第１のパターンの重心は前記長手方向中心線に対して一方側に位置し、前記第２の圧搾部は平面視で前記第１のパターンとは異なる第２のパターンを形成する溝を含み、前記第２のパターンの重心は前記長手方向中心線に対して他方側に位置し、前記第１の圧搾部と前記第２の圧搾部とは、前記長手方向中心線に対する相対的な位置及び傾きの少なくとも一つが互いに異なる、吸収性物品。【０００９】
本吸収性物品では、第１のパターンを有する第１の圧搾部と、別の第２のパターンを有する第２の圧搾部とが、それぞれ長手方向中心線の一方側及び他方側に、相対的な位置、傾き及び大きさの少なくとも一つが互いに異なる状態で配置されている。
このような第１の圧搾部及び第２の圧搾部は、そのパターンの形状や、相対的な位置又は傾きなどにおいて、長手方向中心線に対して線対称ではなく、それぞれ吸収体の幅方向の一方の端縁及び他方の端縁からの距離も等距離ではない。したがって、それら第１の圧搾部及び第２の圧搾部を見た消費者は、それらと長手方向中心線や、吸収体の幅方向の一方の端縁及び他方の端縁との関係を意識しなくなる。そのため、幅方向において、吸収体の一方の端縁と第１の圧搾部との距離と、吸収体の他方の端縁と第２の圧搾部の距離とが等しくなくても位置ずれとは認識され難くなる。第１の圧搾部と第２の圧搾部との間の中心位置と、吸収体の中心位置の位置とがずれていても位置ずれとは認識され難くなる。第１の圧搾部と第２の圧搾部の間の中心位置と吸収体の一方の端縁との距離と、第１の圧搾部と第２の圧搾部の間の中心位置と吸収体の他方の端縁との距離とが等しくなくても位置ずれとは認識され難くなる。
そのような第１の圧搾部及び第２の圧搾部の視覚的な効果は、第１の圧搾部及び第２の圧搾部と長手方向に隣り合う一対の圧搾溝にも及び、その一対の圧搾溝に幅方向の位置ずれが生じても、消費者は、位置ずれを認識し難くなる。すなわち、一対の圧搾溝に幅方向の位置ずれを消費者に認識し難くすることができる。
このとき、第１の圧搾部及び第２の圧搾部は、表面シートと吸収体とを接合し、表面シートの表面から吸収体の内部まで延びているので、排泄液を吸収体内部へ誘導でき、排泄液の長手方向の外側への移動を抑制できる。一方、一対の圧搾溝は、取り除かれることなく、表面シートと吸収体とを接合し、表面シートの表面から吸収体の内部まで延びているので、排泄液を吸収体内部へ誘導でき、排泄液の幅方向の外側への移動を抑制できる。これら第１の圧搾部及び第２の圧搾部と一対の圧搾溝との相乗効果により吸収性物品の吸収性能を維持・向上できる。
よって、本吸収性物品では、吸収性能を維持しつつ、消費者が吸収体を不良と考え難くでき、吸収性物品の良品感を損なわないようにできる。【００１０】
本発明の吸収性物品は、（２）前記第１の圧搾部及び前記第２の圧搾部の各々における前記幅方向の大きさは、前記吸収体の幅方向の大きさの１／１０以上、３／４以下である、上記（１）に記載の吸収性物品、であってもよい。
本吸収性物品では、各圧搾部の幅方向の大きさが上記所定の範囲の大きさを有しているので、消費者が各圧搾部と長手方向中心線や吸収体の端縁との関係などを意識しないようさせることができる。それにより、第１、第２の圧搾部の位置ずれを認識し難くできるので、その視覚的な効果により、一対の圧搾溝の幅方向の位置ずれを消費者に認識し難くすることができる。ただし、圧搾部の幅方向の大きさが上記所定の範囲より小さいと、消費者の意識に影響を及ぼすことができず、大きいと圧搾部の位置ずれが目立つようになってしまうので、好ましくない。【００１１】
本発明の吸収性物品は、（３）前記第１の圧搾部及び前記第２の圧搾部における一方の前記幅方向の大きさは、他方の前記幅方向の大きさの２５％以上、４００％以下である、上記（１）又は（２）に記載の吸収性物品、であってもよい。
本吸収性物品では、第１の圧搾部と第２の圧搾部との間の幅方向の大きさの関係が上記所定の範囲を有しているので、消費者が各圧搾部と長手方向中心線や吸収体の端縁との関係などを意識しないようさせることができる。それにより、第１、第２の圧搾部の位置ずれを認識し難くできるので、その視覚的な効果により、一対の圧搾溝の幅方向の位置ずれを消費者に認識し難くすることができる。ただし、両圧搾部間の幅方向の大きさの相対的な関係が上記所定の範囲より小さいと消費者の意識に影響を及ぼすことができず、大きいと圧搾部の位置ずれが目立つようになってしまうので、好ましくない。【００１２】
本発明の吸収性物品は、（４）前記第１の圧搾部の前記幅方向に沿った第１の基準線と前記長手方向中心線との成す第１の角度、及び、前記第２の圧搾部の前記幅方向に沿った第２の基準線と前記長手方向中心線との成す第２の角度は、３０°以上１５０°以下である、上記（１）乃至（３）のいずれか一項に記載の吸収性物品、であってもよい。
本吸収性物品では、第１の角度と第２の角度がそれぞれ上記所定の範囲を有しているので、消費者が各圧搾部と長手方向中心線や吸収体の端縁との関係などを意識しないようさせることができる。それにより、第１、第２の圧搾部の位置ずれを認識し難くできるので、その視覚的な効果により、一対の圧搾溝の幅方向の位置ずれを消費者に認識し難くすることができる。ただし、圧搾部の第１、第２の角度の大きさが上記所定の範囲より小さくても大きくても、第１、第２の圧搾部は長手方向に沿う形状になり、圧搾部の位置ずれが目立つようになり、好ましくない。【００１３】
本発明の吸収性物品は、（５）前記第１の角度及び前記第２の角度の角度差は、０°以上、４０°以下である、上記（４）に記載の吸収性物品、であってもよい。
本吸収性物品では、第１の角度と第２の角度との角度差が上記所定の範囲を有しているので、消費者が各圧搾部と長手方向中心線や吸収体の端縁との関係などを意識しないようさせることができる。それにより、第１、第２の圧搾部の位置ずれを認識し難くできるので、その視覚的な効果により、一対の圧搾溝の幅方向の位置ずれを消費者に認識し難くすることができる。ただし、圧搾部の第１の角度と第２の角度との角度差が上記所定の範囲より小さくても大きくても、長手方向中心線の一方側又は他方側に対する消費者の意識が多くなりすぎて、位置ずれが起きていなくても、位置ずれと認識されてしまうおそれがある。また、装着時に不均等な変形が生じて吸収性能が低下し、装着者が違和感を覚えるおそれがある。【００１４】
本発明の吸収性物品は、（６）前記第１の圧搾部及び前記第２の圧搾部の少なくとも一方は、複数の圧搾部から構成される、上記（１）乃至（５）のいずれか一項に記載の吸収性物品、であってもよい。
本吸収性物品では、第１の圧搾部及び第２の圧搾部の少なくとも一方が複数であることにより、消費者の意識をその複数の圧搾部に向けさせることができ、消費者が各圧搾部と長手方向中心線や吸収体の端縁との関係などをより意識しないようさせることができる。その視覚的な効果により、一対の圧搾溝の幅方向の位置ずれを消費者に認識し難くすることができる。【００１５】
本発明の吸収性物品は、（７）前記表面シートと前記吸収体とが厚さ方向に重なる領域において、前記一対の圧搾溝から前記長手方向の他方に向って離れた位置に、前記幅方向に沿って並んだ第３の圧搾部及び第４の圧搾部を更に備え、前記前記第３の圧搾部及び前記第４の圧搾部は、前記表面シートと前記吸収体とを接合し、前記第３の圧搾部は、平面視で第３のパターンを形成する溝を含み、前記第３のパターンの重心が前記長手方向中心線に対して一方側に位置し、前記吸収体の一方の端縁に面しており、前記第４の圧搾部は、平面視で前記第３のパターンとは異なる第４のパターンを形成する溝を含み、前記第４のパターンの重心が前記長手方向中心線に対して他方側に位置し、前記吸収体の他方の端縁に面しており、前記第３の圧搾部と前記第４の圧搾部とは、前記長手方向中心線に対する相対的な位置及び傾きの少なくとも一つが互いに異なる、上記（１）乃至（６）のいずれか一項に記載の吸収性物品、であってもよい。
本吸収性物品では、一対の圧搾溝の長手方向の一方側だけでなく他方側にも圧搾部を備えているので、消費者の意識を第１、第２の圧搾部及び第３、第４の圧搾部に向けさせることができ、消費者が各圧搾部と長手方向中心線や吸収体の端縁との関係などをより意識しないようさせることができる。それにより、第１、第２の圧搾部の位置ずれ、及び、第３、第４の圧搾部の位置ずれをより認識し難くでき、その視覚的な効果により、一対の圧搾溝の幅方向の位置ずれを消費者により認識し難くすることができる。【００１６】
本発明の吸収性物品は、（８）前記一方の外側の前記複数の圧搾部の前記第１の圧搾部及び前記第２の圧搾部と前記長手方向中心線との成す第１の角度及び第２の角度と、前記他方の外側の前記複数の圧搾部の前記第３の圧搾部及び前記第２の圧搾部と前記長手方向中心線との成す第３の角度及び第４の角度とにおいて、前記第１の角度と前記第３の角度とは相違し、前記第２の角度と前記第４の角度とは相違する、上記（７）に記載の吸収性物品、であってもよい。
本吸収性物品では、第１の角度及び前記第２の角度と、前記第３の角度及び第４の角度とが互いに相違しているので、一対の圧搾溝に対して長手方向の両側の圧搾部の配置状態を互いにより異なるようにすることができる。したがって、第１の圧搾部〜第４の圧搾部の配置状態が全体としてより不均等になり、消費者が各圧搾部と長手方向中心線や吸収体の端縁との関係などをより意識しないようさせることができる。それにより、第１の圧搾部〜第４の圧搾部の位置ずれを認識し難くできるので、その視覚的な効果により、一対の圧搾溝の幅方向の位置ずれを消費者により認識し難くすることができる。【００１７】
本発明の吸収性物品は、（９）前記第１の角度、前記第２の角度、前記第３の角度及び前記第４の角度は、互いに相違する、上記（８）に記載の吸収性物品、であってもよい。
本吸収性物品では、第１の角度〜第４の角度が互いに相違しているので、一対の圧搾溝に対して長手方向の両側の圧搾部の配置状態を互いにより異なるようにすることができ、かつ、幅方向に並んだ圧搾部の配置状態を互いにより異なるようにすることができる。したがって、第１の圧搾部〜第４の圧搾部の配置状態が全体としてより不均等になり、消費者が各圧搾部と長手方向中心線や吸収体の端縁との関係などをより意識しないようさせることができる。それにより第１の圧搾部〜第４の圧搾部の位置ずれいずれもより認識し難くでき、その視覚的な効果により、一対の圧搾溝の幅方向の位置ずれを消費者により認識し難くすることができる。【００１８】
本発明の吸収性物品は、（１０）前記第１の圧搾部の前記幅方向の大きさと、前記第２の圧搾部の前記幅方向の大きさと、前記第３の圧搾部の前記幅方向の大きさと、前記第４の圧搾部の前記幅方向の大きさとは、互いに相違する、上記（７）乃至（９）のいずれか一項に記載の吸収性物品、であってもよい。
本吸収性物品では、第１の圧搾部〜第４の圧搾部における幅方向の大きさが互いに相違しているので、一対の圧搾溝に対して長手方向の両側の圧搾部の配置状態を互いにより異なるようにすることができ、かつ、幅方向に並んだ圧搾部の配置状態を互いにより異なるようにすることができる。したがって、第１の圧搾部〜第４の圧搾部の配置状態が全体としてより不均等になり、消費者が各圧搾部と長手方向中心線や吸収体の端縁との関係などをより意識しないようさせることができる。それにより第１の圧搾部〜第４の圧搾部の位置ずれいずれもより認識し難くでき、その視覚的な効果により、一対の圧搾溝の幅方向の位置ずれを消費者により認識し難くすることができる。【００１９】
本発明の吸収性物品は、（１１）前記第１の圧搾部と前記第２の圧搾部との間の前記幅方向の距離は、前記一対の圧搾溝に近づくに連れて大きくなり、前記第３の圧搾部と前記第４の圧搾部との間の前記幅方向の距離は、前記一対の圧搾溝に近づくに連れて大きくなる、上記（７）乃至（１０）のいずれか一項に記載の吸収性物品、であってもよい。
本吸収性物品では、第１の圧搾部及び第２の圧搾部と、吸収体の幅方向の両端縁と、第３の圧搾部及び第４の圧搾部とを結ぶ仮想的な六角形が形成される。そのような場合では、消費者はこの六角形を意識し、それを基準にして、製品の位置関係を把握する。ここで、この六角形が長手方向中心線に対して線対称でないため、その基準があいまいとなるので、実際に一対の圧搾溝の位置が幅方向にずれていても、消費者に対してその位置ずれを認識し難くすることができる。それに加えて、排泄液の長手方向の移動を、所定の配置状態にある第１の圧搾部及び第２の圧搾部と、第３の圧搾部及び第４の圧搾部とでより効果的に堰き止めることができる。それにより、排泄液の長手方向の拡散が抑制され、漏れが低減され、それにより吸収性能を向上できる。【００２０】
本発明の吸収性物品は、（１２）前記吸収体の前記幅方向の両側の端縁は、前記幅方向の外側に対して凸に湾曲した外縁を有する凸湾曲領域と、前記幅方向の外側に対して凹に湾曲した外縁を有する凹湾曲領域とが、前記長手方向に沿って交互に連続した形状を有する、上記（１）乃至（１１）のいずれか一項に記載の吸収性物品。
本吸収性物品では、吸収体の端縁が、幅方向の外側に対して凸に湾曲した外縁と凹に湾曲した外縁とが交互に連続した形状、すなわち波形の形状を有している。そのため、吸収体の端縁と、一対の圧搾溝との距離を認識し難くなる。そのような場合では、消費者は、一対の圧搾溝の位置が幅方向にずれていても、位置ずれと認識し難くなる。すなわち、一対の圧搾溝に幅方向の位置ずれを消費者に認識し難くすることができ、吸収性物品の良品感を損なわないようにできる。
【発明の効果】
【００２１】
本発明によれば、吸収性能の低下を招くことなく、圧搾溝の位置が幅方向にずれていたとしても、その位置ずれを消費者に認識し難くすることが可能な吸収性物品を提供することができる。
【図面の簡単な説明】
【００２２】
【図１】実施の形態に係る吸収性物品を示す図である。
【図２】吸収体の圧搾溝の位置の確認方法を説明する図である。
【図３】実施の形態に係る吸収性物品を示す図である。
【図４】実施の形態に係る第１〜第４の圧搾部を示す図である。
【図５】実施の形態に係る吸収性物品の作用効果を説明するための図である。
【図６】実施の形態に係る吸収性物品の製造装置の構成を示す図である。
【図７】他の実施の形態に係る吸収性物品を示す図である。
【図８】他の実施の形態に係る吸収性物品の変形例を示す図である。
【図９】更に他の実施の形態に係る吸収性物品を示す図である。
【発明を実施するための形態】
【００２３】
本実施の形態に係る吸収性物品について生理用ナプキンを例に説明する。ただし吸収性物品の種類及び用途としては特に限定されるものではなく、本発明の範囲を逸脱しない限り、他の吸収性物品であってもよい。その吸収性物品としては、例えばパンティライナー、軽失禁パッドが挙げられる。
【００２４】
（第１の実施の形態）
まず、本実施の形態に係る吸収性物品について説明する。図１は吸収性物品を示す図であり、吸収性物品１を展開した状態での頂面図を示す。吸収性物品１は、互いに直交する長手方向Ｌ、幅方向Ｗ及び厚さ方向Ｔを有し、長手方向Ｌに延びる本体部２ａと、長手方向Ｌの略中央部に幅方向Ｗの両側に延出する一対のフラップ部２ｂ、２ｂとを備える。吸収性物品１は、幅方向Ｗの中心を通り長手方向Ｌに延びる長手方向中心線ＣＬと、一対のフラップ部２ｂ、２ｂの長手方向Ｌの中心を通り幅方向Ｗに延びる幅方向中心線ＣＷを有する。図１において向って上方が吸収性物品１の前方であり、向って下方が吸収性物品１の後方である。吸収性物品１の長手方向Ｌ、幅方向Ｗ及び厚さ方向Ｔと後述される吸収性物品１の各資材の長手方向、幅方向及び厚さ方向とは一致するので、吸収性物品１及びその各資材に共通に長手方向Ｌ、幅方向Ｗ及び厚さ方向Ｔを用いる。「平面視」とは展開した状態の吸収性物品１を上面側から厚さ方向Ｔに見ることをいう。「肌側」及び「非肌側」とは、吸収性物品１の装着時、厚さ方向Ｔにて相対的に装着者の肌面に近い側及び遠い側をそれぞれ意味する。長手方向中心線ＣＬに向かう方向及び遠ざかる方向をそれぞれ幅方向Ｗの内側及び外側の方向とする。幅方向中心線ＣＷに向かう方向及び遠ざかる方向をそれぞれ長手方向Ｌの内側及び外側の方向とする。これらの定義も吸収性物品１の各資材に共通に用いる。
【００２５】
本体部２ａは、角丸長方形、縦長の楕円形又は小判形の形状を有し、本体部２ａの長手方向Ｌの両端縁部の端縁２Ｔ１、２Ｔ２は、略半円形又はお椀形の形状を有する。本体部２ａは、液透過性の表面シート４と、液不透過性の裏面シート５と、表面シート４と裏面シート５との間に配置された液吸収性及び液保持性の吸収体３と、を備える。表面シート４は吸収性コアとそれを被覆するコアラップを含んでいてもよい。表面シート４の非肌側の面と吸収体３の肌側の面とは接着剤等で接合され、吸収体３の非肌側の面と裏面シート５の肌側の面とは接着剤等で接合される。表面シート４の非肌側の面の縁と裏面シート５の肌側の面の縁とは接着剤で接合される。本体部２ａの表面シート４と吸収体３とが厚さ方向Ｔに重なる領域には、長手方向Ｌの中央やや前方寄りで幅方向Ｗの中央に、装着時に排泄口に当接する領域、すなわち排泄口当接域ＳＴＡが設定される。フラップ部２ｂは、半円形又は半楕円形の形状を有し、長手方向Ｌにおいて、一対のフラップ部２ｂ、２ｂの両端部（付け根）及び中央部の位置が排泄口当接域ＳＴＡの両端部及び中央部の位置とほぼ重なるように形成される。
【００２６】
本体部２ａは、排泄口当接域ＳＴＡ内及びその周囲に、表面シート４と吸収体３とを表面シート４側から圧搾して形成される圧搾溝及び圧搾部を備える。圧搾溝及び圧搾部は表面シート４と吸収体３とを接合している。本実施の形態では、長手方向中心線ＣＬを挟んでその両側の領域にそれぞれ位置する一対の圧搾溝１１ａ、１１ｂが形成される。その一対の圧搾溝１１ａ、１１ｂは、排泄口当接域ＳＴＡの幅方向Ｗの両側に配置されている。排泄口当接域ＳＴＡの長手方向Ｌの前方、すなわち一対の圧搾溝１１ａ、１１ｂから長手方向Ｌの一方に向って離れた位置に圧搾部１３が形成される。本実施の形態では好ましい態様として、排泄口当接域ＳＴＡの長手方向Ｌの後方、すなわち一対の圧搾溝１１ａ、１１ｂから長手方向Ｌの他方に向って離れた位置に圧搾部１４が形成される。本実施の形態では、一対の圧搾溝１１ａ、１１ｂと圧搾部１３及び圧搾部１４とは同時に形成され、幅方向Ｗの中心が互いに一致する。圧搾部１３、１４の詳細は後述される。本実施の形態では、更に、排泄口当接域ＳＴＡ内に、千鳥配置で複数のドット状の中央圧搾部１２が形成される。
【００２７】
吸収性物品１の本体部２ａ及び一対のフラップ部２ｂ、２ｂは、吸収性物品１を着衣に固定するための複数の固定部（図示されず）を裏面シート５の肌面側に備える。複数の固定部は剥離シート（図示されず）に被覆される。本体部２ａの複数の固定部は吸収性物品１の幅方向Ｗに短冊状に延び、吸収性物品１の長手方向Ｌに所定の間隔で配置される。吸収性物品１は、表面シート４と吸収体３との間に液体の拡散を補助する補助シート（図示されず）を更に備えてもよい。
【００２８】
表面シート４、吸収体３、裏面シート５、補助シート、固定部及び剥離シートの材料としては、吸収性物品１で一般的に使用される公知の材料を用いることができる。表面シート４の材料としては、例えば不織布、織布、液透過孔が形成された合成樹脂フィルム、これらの複合シートが挙げられる。不織布としては、例えば天然繊維、再生繊維、無機繊維、合成樹脂繊維等が挙げられる。吸収体３の材料としては、例えばパルプ繊維、合成繊維、吸収性ポリマが挙げられる。裏面シート５の材料としては、例えば防水処理を施した不織布、合成樹脂フィルム、不織布と合成樹脂フィルムとの複合シート、ＳＭＳ不織布等が挙げられる。補助シートの材料としては、例えば不織布、パルプ繊維、合成繊維が挙げられる。固定部の材料としては、例えばスチレン−ブタジエン共重合体のような粘着剤が挙げられる。剥離シートの材料としては、例えば紙や樹脂シートの基材にシリコーン樹脂系の剥離材を塗工したものが挙げられる。各資材間の接合用の接着剤としては、吸収性物品１で使用される公知の材料を用いることができ、例えば熱可塑性接着剤が挙げられる。
【００２９】
ところで、上記一対の圧搾溝１１ａ、１１ｂは、幅方向Ｗのどちらに排泄液が拡散しても、その拡散を抑制して、吸収体３に吸収させて、吸収性能を向上させるために形成される。そのため、それらの位置や形状が吸収体３の長手方向中心線ＣＬに対して線対称になるように形成されている。そして、消費者は、意識しているか否かに関わらず、装着時に、主に次の（１）〜（３）のいずれかの方法により一対の圧搾溝１１ａ、１１ｂの位置（対称性を含む）を確認している。図２は吸収体の圧搾溝の位置の確認方法を説明する図である。図２を参照して、（１）幅方向Ｗにおける、吸収体３の一方の端縁３ａとそれに対向する一方の圧搾溝１１ａとの距離ｄ１１と、吸収体３の他方の端縁３ｂとそれに対向する他方の圧搾溝１１ｂとの距離ｄ１２とを比較する。（２）幅方向Ｗにおける、一対の圧搾溝１１ａ、１１ｂの間の中心位置ＣＰ２と、吸収体３の中心位置ＣＰ１とを比較する。（３）幅方向Ｗにおける、一対の圧搾溝１１ａ、１１ｂの間の中心位置ＣＰ２と吸収体３の一方の端縁３ａとの距離ｄ２１と、一対の圧搾溝１１ａ、１１ｂの間の中心位置ＣＰ２と吸収体３の他方の端縁３ｂとの距離ｄ２２とを比較する。
【００３０】
このとき、製造上の理由から、製品における圧搾溝の幅方向の位置が、設計における圧搾溝の幅方向の位置からずれる場合がある。その場合、消費者は、上記（１）〜（３）に対応して、主に次の（ａ）〜（ｃ）のいずれかの事実により圧搾溝１１ａ、１１ｂの幅方向Ｗの位置ずれを認識する。すなわち（ａ）上記（１）の二つの距離ｄ１１、ｄ１２の間に差が生じる。（ｂ）上記（２）の二つの中心位置ＣＰ１、ＣＰ２の間にずれが生じる。（ｃ）上記（３）の二つの距離ｄ２１、ｄ２２の間に差が生じる。その結果、消費者は、吸収性物品１において、圧搾溝１１ａ、１１ｂの幅方向Ｗでの位置がずれていると認識することになる。そのため、吸収性能には問題が無くても、消費者は、圧搾溝１１ａ、１１ｂの位置が本来と異なるから、その吸収性物品１を不良品と認識するおそれがある。
【００３１】
そこで本実施の形態では、吸収性物品１に、圧搾溝１１ａ、１１ｂとは別に、上記のように圧搾部１３を形成し、更に好ましい態様として圧搾部１４を形成することにより、吸収性能の低下を招くことなく、圧搾溝に位置ずれが生じたとしても、その位置ずれを消費者に認識し難くしている。以下、圧搾部１３、１４について更に説明する。
【００３２】
ただし、本実施の形態において、「パターン」とは、線や曲線による図形であり、例えば円、楕円、多角形、星形、ハート形、花形、葉形、生物の形、又はキャラクターの形、若しくはそれらの組み合わせ、など種々の模様が挙げられ、その形状は特に限定されない。なお、相似形、すなわち大きさが相違する場合も異なるパターンとする。
本実施の形態において、パターンの「重心」とは、平面視のパターン（二次元図形）を、仮想的に、厚さ方向Ｔに一定の厚みを有する平板上の物体と見たとき、その物体の重心（物体の各部分に働く重力の合力が作用すると考えられる点）とする。
本実施の形態において、圧搾部の「長手方向中心線ＣＬに対する相対的な位置」（以下「相対的な位置」ともいう。）とは、長手方向中心線ＣＬに対する幅方向Ｗの距離（絶対値）と、長手方向中心線ＣＬに垂線を下したときの、長手方向中心線ＣＬ上の位置（＝幅方向中心線ＣＷからの距離）とで特定される圧搾部（パターン）の重心の位置とする。
本実施の形態において、圧搾部の「長手方向中心線ＣＬに対する相対的な傾き」（以下「相対的な傾き」ともいう。）とは、圧搾部のパターンを仮想的に囲む最小の矩形において、長手方向Ｌにおける矩形の下側（又は上側）の一辺を基線として、その基線又はその基線と平行且つ重心を通る重心線としての基準線が長手方向中心線ＣＬと成す角とする。
【００３３】
図３は吸収性物品を示す図であり、図１について圧搾部１３、１４の詳細を示している。圧搾部１３は、幅方向Ｗに沿って並んだ第１の圧搾部２１と第２の圧搾部２２とを含む。第１の圧搾部２１は平面視で第１のパターン（例示：リボン；大）を形成する溝２１Ｍを含み、第１のパターンの重心Ｇ２１は長手方向中心線ＣＬに対して一方側に位置する。一方、第２の圧搾部２２は平面視で第１のパターンとは異なる第２のパターン（例示：リボン；小）を形成する溝２２Ｍを含み、第２のパターンの重心Ｇ２２は長手方向中心線ＣＬに対して他方側に位置する。第１の圧搾部２１と第２の圧搾部２２とは、長手方向中心線ＣＬに対する相対的な位置及び傾きの少なくとも一つが互いに異なる。圧搾部１４は、幅方向Ｗに沿って並んだ第３の圧搾部２３と第４の圧搾部２４とを含む。第３の圧搾部２３は平面視で第３のパターン（例示：蝶；大）を形成する溝２３Ｍを含み、第３のパターンの重心Ｇ２３は長手方向中心線ＣＬに対して一方側に位置する。一方、第４の圧搾部２４は平面視で第３のパターンとは異なる第４のパターン（例示：蝶；小）を形成する溝２４Ｍを含み、第４のパターンの重心Ｇ２４は長手方向中心線ＣＬに対して他方側に位置する。第３の圧搾部２３と第４の圧搾部２４とは、長手方向中心線ＣＬに対する相対的な位置及び傾きの少なくとも一つが互いに異なる。第１の圧搾部２１及び第３の圧搾部２３は吸収体３の幅方向Ｗの一方の端縁３ａに、第２の圧搾部２２及び第４の圧搾部２４は吸収体３の幅方向Ｗの他方の端縁３ｂにそれぞれ他の圧搾溝等を介さずに面している。
【００３４】
図４は第１〜第４の圧搾部を示す図であり、図４（ａ）は第１、第２の圧搾部を示し、図４（ｂ）は第３、第４の圧搾部を示す。図４（ａ）に示す例では、第１の圧搾部２１（左側）のパターンは大きなリボンの形であり、第２の圧搾部２２（右側）のパターンは小さなリボンの形である。すなわち、第１の圧搾部２１は、溝２１Ｍによるリボンの形を有しており、縦ＴＵ２１×横ＷＵ２１の最小限の矩形Ｒ２１に収まる大きさを有する。一方、第２の圧搾部２２は、溝２２Ｍによるリボンの形を有しており、縦ＴＵ２２×横ＷＵ２２の最小限の矩形Ｒ２２に収まる大きさを有する。また、図４（ｂ）に示す例では、第３の圧搾部２３（左側）のパターンは大きな蝶の形であり（ただし、上下逆さま）、第４の圧搾部（右側）のパターンは小さな蝶の形である。すなわち、第３の圧搾部２３は、溝２３Ｍによる蝶の形を有しており、縦ＴＵ２３×横ＷＵ２３の最小限の矩形Ｒ２３に収まるを有する。一方、第４の圧搾部２４は、溝２４Ｍによるリボンの形を有しており、縦ＴＵ２４×横ＷＵ２４の最小限の矩形Ｒ２４に収まる大きさを有する。
【００３５】
また、図４（ａ）に示す例では、第１の圧搾部２１の重心はＧ２１であり、長手方向中心線ＣＬに対して一方側（左側）に位置し、第２の圧搾部２２の重心はＧ２２であり、長手方向中心線ＣＬに対して他方側（右側）に位置する。すなわち、第１の圧搾部２１及び第２の圧搾部２２は、それぞれの重心Ｇ２１、Ｇ２２が長手方向中心線ＣＬを挟んで両側に分かれるように配置される。また、図４（ｂ）に示す例では、第３の圧搾部２３の重心はＧ２３であり、長手方向中心線ＣＬに対して一方側（左側）に位置し、第４の圧搾部２４の重心はＧ２４であり、長手方向中心線ＣＬに対して他方側（右側）に位置する。すなわち、第３の圧搾部２３及び第４の圧搾部２４は、それぞれの重心Ｇ２３、Ｇ２４が長手方向中心線ＣＬを挟んで両側に分かれるように配置される。
【００３６】
また、図４（ａ）に示す例では、第１の圧搾部２１の相対的な位置は、長手方向中心線ＣＬに対する幅方向Ｗの距離Ｘ２１と、長手方向中心線ＣＬに垂線を下したときの位置Ｙ２１とで特定される位置（Ｘ２１、Ｙ２１）であり、第２の圧搾部２２の相対的な位置は、長手方向中心線ＣＬに対する幅方向Ｗの距離Ｘ２２と、長手方向中心線ＣＬに垂線を下したときの位置Ｙ２２とで特定される位置（Ｘ２２、Ｙ２２）である。また、図４（ｂ）に示す例では、第３の圧搾部２３の相対的な位置は、長手方向中心線ＣＬに対する幅方向Ｗの距離Ｘ２３と、長手方向中心線ＣＬに垂線を下したときの位置Ｙ２３とで特定される位置（Ｘ２３、Ｙ２３）であり、第４の圧搾部２４の相対的な位置は、長手方向中心線ＣＬに対する幅方向Ｗの距離Ｘ２４と、長手方向中心線ＣＬに垂線を下したときの位置Ｙ２４とで特定される位置（Ｘ２４、Ｙ２４）である。
【００３７】
また、図３に示す例では、第１の圧搾部２１の相対的な傾きは、長手方向Ｌにおける矩形の下側の一辺を第１の基線ＢＬ２１として、その第１の基線ＢＬ２１と平行且つ重心Ｇ２１を通る第１の重心線ＧＬ２１（第１の基準線）が、長手方向中心線ＣＬと成す第１の角度α１である。第２の圧搾部２２の相対的な傾きは、長手方向Ｌにおける矩形の下側の一辺を第２の基線ＢＬ２２として、その第２の基線ＢＬ２２と平行且つ重心Ｇ２２を通る第２の重心線ＧＬ２２（第２の基準線）が、長手方向中心線ＣＬと成す第２の角度β１である。また、第３の圧搾部２３の相対的な傾きは、長手方向Ｌにおける矩形の下側の一辺を第３の基線ＢＬ２３として、その第３の基線ＢＬ２３と平行且つ重心Ｇ２３を通る第３の重心線ＧＬ２３（第３の基準線）が、長手方向中心線ＣＬと成す第３の角度α２である。第４の圧搾部２４の相対的な傾きは、長手方向Ｌにおける矩形の下側の一辺を第４の基線ＢＬ２４として、その第４の基線ＢＬ２４と平行且つ重心Ｇ２４を通る第４の重心線ＧＬ２４（第４の基準線）が、長手方向中心線ＣＬと成す第４の角度β２である。
【００３８】
本実施の形態において、図１、図３及び図４に示す例では、第１の圧搾部２１と第２の圧搾部２２とはリボンという形は同じである。しかし、ＴＵ２１≠ＴＵ２２、ＷＵ２１≠ＷＵ２２であり、大きさが相違する（第１の圧搾部２１＞第２の圧搾部２２）ので、別のパターンである。すなわち、第１の圧搾部２１と第２の圧搾部２２とは、パターンが相違する。また、第１の圧搾部２１の相対的な位置（Ｘ２１、Ｙ２１）と第２の圧搾部２２の相対的な位置（Ｘ２２、Ｙ２２）である。そして、Ｘ２１≠Ｘ２２、Ｙ２１≠Ｙ２２であり、第１の圧搾部２１と第２の圧搾部２２とは、長手方向中心線ＣＬに対する相対的な位置が互いに異なるように配置されている。また、第１の圧搾部２１の相対的な傾きα１と第２の圧搾部２２の相対的な傾きβ１において、α１≠β１であり、第１の圧搾部２１と第２の圧搾部２２とは、長手方向中心線ＣＬに対する相対的な傾きが互いに異なるように配置されている。
【００３９】
このように、本実施の形態では、第１の圧搾部２１と第２の圧搾部２２とは、パターンが相違し、かつ、長手方向中心線ＣＬに対する相対的な位置及び傾きが相違している。このように第１の圧搾部２１と第２の圧搾部２２との間に相違が存在するため、本実施の形態の吸収性物品１は以下に示す作用効果を奏することができる。
【００４０】
図５は吸収性物品の作用効果を説明するための図であり、図５（ａ）は圧搾溝の位置ずれなしの場合、図５（ｂ）は圧搾溝の位置ずれありの場合、図５（ｃ）は圧搾溝の位置ずれあり且つ第１〜第４の圧搾部なしの場合をそれぞれ示す。
【００４１】
図５（ａ）に示すように、第１の圧搾部２１及び第２の圧搾部２２は、そのパターンの形状や、相対的な位置又は傾きなどにおいて、長手方向中心線ＣＬに対して線対称ではない。それに加えて、吸収体３の幅方向Ｗの一方の端縁３ａと第１の圧搾部２１（のパターンの端部）との距離、及び、吸収体３の幅方向Ｗの他方の端縁３ｂと第２の圧搾部２２（のパターンの端部）と距離も等距離ではない。したがって、それら第１の圧搾部２１及び第２の圧搾部２２を見た消費者は、それらと長手方向中心線ＣＬや、吸収体３の幅方向Ｗの一方の端縁３ａ及び他方の端縁３ｂとの関係、特に線対称であるか否かを意識しなくなる。そのため、図５（ｂ）に示すように、幅方向Ｗにおいて、吸収体３の一方の端縁３ａと第１の圧搾部２１との距離と、吸収体３の他方の端縁３ｂと第２の圧搾部２２の距離とが等しくなくても位置ずれと認識し難くなる。更に、第１の圧搾部２１と第２の圧搾部２２との間の中心位置と、吸収体３の中心位置の位置とがずれていても位置ずれと認識し難くなる。加えて、第１の圧搾部２１と第２の圧搾部２２の間の中心位置と吸収体３の一方の端縁３ａとの距離と、第１の圧搾部２１と第２の圧搾部２２の間の中心位置と吸収体３の他方の端縁３ｂとの距離とが等しくなくても位置ずれと認識し難くなる。そのような第１の圧搾部２１及び第２の圧搾部２２の視覚的な効果は、第１の圧搾部２１及び第２の圧搾部２２と長手方向Ｌに隣り合う一対の圧搾溝１１ａ、１１ｂにも及ぶ。そのことは、例えば、図５（ｂ）と図５（ｃ）とを比較したとき、第１の圧搾部２１及び第２の圧搾部２２を設けている図５（ｂ）の例が、第１の圧搾部２１及び第２の圧搾部２２を設けていない図５（ｃ）の例よりも、幅方向Ｗの位置ずれが一見したとき分り難い、ということからも明らかである。すなわち、第１の圧搾部２１及び第２の圧搾部２２と長手方向Ｌに隣り合う一対の圧搾溝１１ａ、１１ｂに幅方向Ｗの位置ずれが生じても、消費者は、位置ずれを認識し難くなる。すなわち、一対の圧搾溝１１ａ、１１ｂに幅方向Ｗの位置ずれを消費者に認識し難くすることができる。
【００４２】
このとき、第１の圧搾部２１及び第２の圧搾部２２は、表面シート４と吸収体３とを表面シート４側から圧搾して形成される圧搾部であり、表面シート４の表面から吸収体３の内部まで延びているので、排泄液を吸収体３内部へ誘導でき、排泄液が排泄口当接域ＳＴＡから長手方向Ｌの外側へ移動することを抑制できる。同様に、一対の圧搾溝１１ａ、１１ｂは、同様に、表面シート４と吸収体３とを表面シート４側から圧搾して形成される圧搾溝であり、表面シートの表面から吸収体の内部まで延びているので、排泄液を吸収体３内部へ誘導でき、排泄液が排泄口当接域ＳＴＡから幅方向Ｗの外側へ移動することを抑制できる。それらの相乗効果により吸収性物品１の吸収性能を維持・向上できる。
【００４３】
以上のように、本吸収性物品では、吸収性能を維持しつつ、消費者が吸収体３を不良と考え難くでき、吸収性物品１の良品感を損なわないようにできる。
【００４４】
また、本実施の形態では、好ましい形態として、更に、一対の圧搾溝１１ａ、１１ｂの長手方向Ｌの一方側（前方側）だけでなく他方側（後方側）にも圧搾部、すなわち第３の圧搾部２３及び第４の圧搾部２４を備える。図１、図３及び図４に示す例では、第３の圧搾部２３と第４の圧搾部２４とは蝶という形は同じである。しかし、ＴＵ２３≠ＴＵ２４、横ＷＵ２３≠ＷＵ２４であり、大きさが相違する（第３の圧搾部２３＞第４の圧搾部２４）。ので、別のパターンである。すなわち、第３の圧搾部２３のパターンと、第４の圧搾部２４のパターンとは相違する。また、第３の圧搾部２３の相対的な位置（Ｘ２３、Ｙ２３）と第４の圧搾部２４の相対的な位置（Ｘ２４、Ｙ２４）である。そして、Ｘ２３≠Ｘ２４、Ｙ２３≠Ｙ２４であり、第３の圧搾部２３と第４の圧搾部２４とは、長手方向中心線ＣＬに対する相対的な位置が互いに異なるように配置されている。また、第３の圧搾部２３の相対的な傾きα２と第４の圧搾部２４の相対的な傾きβ２において、α２≠β２であり、第３の圧搾部２３と第４の圧搾部２４とは、長手方向中心線ＣＬに対する相対的な傾きが互いに異なるように配置されている。
【００４５】
この場合、消費者の意識を第１、第２の圧搾部２１、２２だけでなく、第３、第４の圧搾部２３、２４にも向けさせることができる。そのとき、それら第３の圧搾部２３と第４の圧搾部２４とは、長手方向中心線ＣＬに対する相対的な位置及び傾きが相違している。そのため、それら第３の圧搾部２３及び第４の圧搾部２４を見た消費者は、それらと長手方向中心線ＣＬや、吸収体３の幅方向Ｗの一方の端縁３ａ及び他方の端縁３ｂとの関係、特に線対称であるか否かを意識しなくなる。すなわち、消費者が各圧搾部２３、２４と長手方向中心線ＣＬや吸収体３の端縁との関係などをより意識しないようさせることができる。それにより、第１、第２の圧搾部２１、２２の位置ずれ、及び、第３、第４の圧搾部２３、２４の位置ずれをより認識し難くでき、その視覚的な効果により、一対の圧搾溝１１ａ、１１ｂの幅方向Ｗの位置ずれを消費者により認識し難くすることができる。なお、本実施の形態では、第３の圧搾部２３と第４の圧搾部２４とは、長手方向中心線ＣＬに対する相対的な位置及び傾きの両方が相違しているが、長手方向中心線ＣＬに対する相対的な位置及び傾きのいずれか一方が相違していれば、上記効果を奏することができる。
【００４６】
なお、本実施の形態では、第１の圧搾部２１と第２の圧搾部２２とは長手方向中心線ＣＬに対する相対的な位置及び傾きの両方が相違するが、長手方向中心線ＣＬに対する相対的な位置及び傾きのいずれか一方が相違していれば上記効果を奏することができる。第３の圧搾部２３と第４の圧搾部２４についても同様である。
また、本実施の形態では、第１の圧搾部２１と第２の圧搾部２２は互いに相似な図形であるが、双方が全く異なる図形であってもよい。第３の圧搾部２３と第４の圧搾部２４についても同様である。また、第１の圧搾部２１、第２の圧搾部２２、第３の圧搾部２３及び第４の圧搾部２４が、互いに相似な図形であってもよい。
【００４７】
また、本実施の形態における好ましい態様として、第１の圧搾部２１及び第２の圧搾部２２の各々における幅方向Ｗの大きさＷｘ２１、Ｗｘ２２（図４（ａ）参照）は、吸収体３の幅方向Ｗの大きさｄ０（図３参照）の１／１０以上、３／４以下としている。より好ましくは、Ｗｘ２１、Ｗｘ２２はｄ０の１／５以上、３／５以下である。図３の例では、Ｗｘ２１、Ｗｘ２２はそれぞれｄ０の１／２、１／４である。この場合にも、第１、第２の圧搾部２１、２２の位置ずれを認識し難くできるので、その視覚的な効果により、一対の圧搾溝１１ａ、１１ｂの幅方向Ｗの位置ずれを消費者に、より認識し難くできる。ただし、第１、第２の圧搾部２１、２２の幅方向Ｗの大きさＷｘ２１、Ｗｘ２２が上記所定の範囲より小さいと、消費者の意識に影響を及ぼすことができず、大きいと圧搾部の位置ずれが目立つようになってしまうので、いずれも好ましくない。
【００４８】
更に本実施の形態における好ましい態様として、第３の圧搾部２３及び第４の圧搾部２４の各々における幅方向Ｗの大きさＷｘ２３、Ｗｘ２４（図４（ｂ）参照）は、吸収体３の幅方向Ｗの大きさｄ０（図３参照）の１／１０以上、３／４以下としている。より好ましくは、Ｗｘ２１、Ｗｘ２２はｄ０の１／５以上、３／５以下である。図３の例では、Ｗｘ２３、Ｗｘ２４はそれぞれｄ０の２／５、３／１０である。それにより、一対の圧搾溝１１ａ、１１ｂの幅方向Ｗの位置ずれを消費者に更により認識し難くすることができる。
【００４９】
また、本実施の形態における好ましい態様として、第１の圧搾部２１及び第２の圧搾部２２における一方の幅方向Ｗの大きさＷｘ２１又はＷｘ２２（図４（ａ）参照）は、他方の幅方向Ｗの大きさＷｘ２２又はＷｘ２１（図４（ａ）参照）の２５％以上、４００％以下としている。例えば、第１の圧搾部２１の幅方向Ｗの大きさＷｘ２１は、第２の圧搾部２２の幅方向Ｗの大きさＷｘ２２の２５％以上、４００％以下としている。より好ましくはＷｘ２１又はＷｘ２２はＷｘ２２又はＷｘ２１の５０％以上、２００％以下である。図４の例では、Ｗｘ２１はＷｘ２２の２００％である。この場合にも、第１、第２の圧搾部２１、２２の位置ずれを認識し難くできるので、その視覚的な効果により、一対の圧搾溝１１ａ、１１ｂの幅方向Ｗの位置ずれを消費者により認識し難くできる。ただし、第１、第２の圧搾部２１、２２間の幅方向Ｗの大きさの相対的な関係が上記所定の範囲より小さいと消費者の意識に影響を及ぼすことができず、大きいと圧搾部の位置ずれが目立つようになってしまうので、好ましくない。
【００５０】
更に本実施の形態の好ましい態様として、第３の圧搾部２３及び第４の圧搾部２４における一方の幅方向Ｗの大きさＷｘ２３又はＷｘ２４（図４（ｂ）参照）は、他方の幅方向Ｗの大きさＷｘ２３又はＷｘ２４（図４（ｂ）参照）の２５％以上、４００％以下としている。より好ましくはＷｘ２１又はＷｘ２２はＷｘ２２又はＷｘ２１の５０％以上、２００％以下である。図４の例では、Ｗｘ２３はＷｘ２４の１３３％である。それにより一対の圧搾溝１１ａ、１１ｂの幅方向Ｗの位置ずれを消費者に更により認識し難くできる。
【００５１】
また、本実施の形態における好ましい態様として、第１の圧搾部２１の幅方向Ｗに沿った第１の重心線ＧＬ２１（第１の基準線）と長手方向中心線ＣＬとの成す第１の角度α１、及び、第２の圧搾部２２の幅方向Ｗに沿った第２の重心線ＧＬ２２（第２の基準線）と長手方向中心線ＣＬとの成す第２の角度β１は、いずれも３０°以上、１５０°以下としている。より好ましくは４５°以上、１３５°以下であり、更に好ましくは６０°以上、９０°以下である。図３の例では、α１は７０°、β１は７０°である。この場合にも、第１、第２の圧搾部２１、２２の位置ずれを認識し難くできるので、その視覚的な効果により、一対の圧搾溝１１ａ、１１ｂの幅方向Ｗの位置ずれを消費者により認識し難くできる。ただし、第１、第２の角度α１、β１の大きさが上記所定の範囲より小さくても大きくても、第１、第２の圧搾部２１、２２は長手方向Ｌに沿う形状になり、圧搾部の位置ずれが目立つようになり、好ましくない。
【００５２】
更に本実施の形態における好ましい態様として、第３の圧搾部２３の幅方向Ｗに沿った第３の重心線ＧＬ２３（第３の基準線）と長手方向中心線ＣＬとの成す第３の角度α２、及び、第４の圧搾部２４の幅方向Ｗに沿った第４の重心線ＧＬ２４（第４の基準線）と長手方向中心線ＣＬとの成す第４の角度β２は、３０°以上、１５０°以下としている。より好ましくは４５°以上、１３５°以下であり、更に好ましくは６０°以上、９０°以下である。図３の例では、α２は７５°、β２は６５°である。それにより、一対の圧搾溝１１ａ、１１ｂの幅方向Ｗの位置ずれを消費者に更により認識し難くすることができる。
【００５３】
また、本実施の形態の好ましい態様として、第１の角度α１と第２の角度β１との角度差は、０°以上、４０°以下としている。より好ましくは０°以上、３０°以下であり、更に好ましくは３°以上、２０°以下である。図３の例では、角度差は０°である。この場合にも、第１、第２の圧搾部２１、２２の位置ずれを認識し難くできるので、その視覚的な効果により、一対の圧搾溝１１ａ、１１ｂの幅方向Ｗの位置ずれを消費者により認識し難くできる。ただし、第１の角度α１と第２の角度β１との角度差が上記所定の範囲より小さくても大きくても、長手方向中心線ＣＬの一方側又は他方側に対する消費者の意識が多くなりすぎて、位置ずれが起きていなくても、位置ずれと認識されてしまうおそれがある。また装着時に不均等な変形が生じて吸収性能が低下し、装着者が違和感を覚えるおそれがある。
【００５４】
更に、本実施の形態において、より好ましい態様として、同様に、第３の角度α２と第４の角度β２との角度差は、０°以上、４０°以下としている。より好ましくは０°以上、３０°以下であり、更に好ましくは３°以上、２０°以下である。図３の例では、角度差は１０°である。それにより、一対の圧搾溝１１ａ、１１ｂの幅方向Ｗの位置ずれを消費者に更により認識し難くすることができる。
【００５５】
また、本実施の形態における好ましい態様として、第１の角度α１と第３の角度α２とは相違し、第２の角度β１と第４の角度β２とは相違している。この場合、一対の圧搾溝１１ａ、１１ｂに対して長手方向Ｌの両側の第１、第２の圧搾部２１、２２の配置状態、すなわち長手方向中心線ＣＬに対する相対的な傾きを互いにより異なるようにすることができる。したがって、第１の圧搾部２１〜第４の圧搾部２４の配置状態が全体としてより不均等になり、消費者が各圧搾部２１、２２、２３、２４と長手方向中心線ＣＬや吸収体３の端縁３ａ、３ｂとの関係などをより意識しないようさせることができる。それにより、第１の圧搾部２１〜第４の圧搾部２４の位置ずれを認識し難くできるので、その視覚的な効果により、一対の圧搾溝１１ａ、１１ｂの幅方向Ｗの位置ずれを消費者により認識し難くすることができる。
【００５６】
また、本実施の形態では、第１の角度α１、第２の角度β１、第３の角度α２及び第４の角度β２は、互いに相違していることが好ましい。その場合、一対の圧搾溝１１ａ、１１ｂに対して長手方向Ｌの両側の各圧搾部２１、２２、２３、２４の配置状態を互いにより異なるようにすることができ、かつ、幅方向Ｗに並んだ第１、第２の圧搾部２１、２２の配置状態／第３、第４の圧搾部２３、２４の配置状態をそれぞれ互いにより異なるようにすることができる。したがって、第１の圧搾部２１〜第４の圧搾部２４の配置状態が全体としてより不均等になり、第１の圧搾部２１〜第４の圧搾部２４の位置ずれを認識し難くできるので、その視覚的な効果により、一対の圧搾溝１１ａ、１１ｂの幅方向Ｗの位置ずれを消費者により認識し難くすることができる。
【００５７】
また、本実施の形態における好ましい形態として、第１の圧搾部２１の幅方向Ｗの大きさＷｘ２１と、第２の圧搾部２２の幅方向Ｗの大きさＷｘ２２と、第３の圧搾部２３の幅方向Ｗの大きさＷｘ２３と、第４の圧搾部２４の幅方向Ｗの大きさＷｘ２４とは、互いに相違している。その場合にも、第１の圧搾部２１〜第４の圧搾部２４の配置状態が全体としてより不均等になり、第１の圧搾部２１〜第４の圧搾部２４の位置ずれを認識し難くできるので、その視覚的な効果により、一対の圧搾溝１１ａ、１１ｂの幅方向Ｗの位置ずれを消費者により認識し難くすることができる。
【００５８】
また、本実施の形態における好ましい形態として、第１の圧搾部２１と第２の圧搾部２２との間の幅方向Ｗの距離は、一対の圧搾溝１１ａ、１１ｂに近づくに連れて大きくなり、第３の圧搾部２３と第４の圧搾部２４との間の幅方向Ｗの距離は、一対の圧搾溝１１ａ、１１ｂに近づくに連れて大きくなる。言い換えると、第１の圧搾部２１及び第２の圧搾部２２は、一対の圧搾溝１１ａ、１１ｂに近づくに連れて、互いにより離れるように配置され、したがって排泄口当接域ＳＴＡから見て略逆Ｖ字型（略ハの字型）に配置される。第３の圧搾部２３及び第４の圧搾部２４は、一対の圧搾溝１１ａ、１１ｂに近づくに連れて、互いにより離れるように配置され、したがって排泄口当接域ＳＴＡから見て略逆Ｖ字型（略ハの字型）に配置される。この場合、第１の圧搾部２１及び第２の圧搾部２２と、吸収体３の幅方向Ｗの両端縁３ａ、３ｂと、第３の圧搾部２３及び第４の圧搾部２４とを結ぶ仮想的な六角形が形成される。そのような場合では、消費者はこの六角形を意識し、それを基準にして、製品の位置関係を把握する。ここで、この六角形が長手方向中心線ＣＬに対して線対称でないため、製品の位置関係を把握するための基準があいまいとなる。それゆえ、実際に一対の圧搾溝１１ａ、１１ｂの位置が幅方向Ｗにずれていても、消費者に対してその位置ずれを認識し難くすることができる。それに加えて、排泄液の長手方向Ｌの移動を、所定の配置状態にある第１の圧搾部２１及び第２の圧搾部２２と、第３の圧搾部２３及び第４の圧搾部２４とでより効果的に堰き止めることができる。それにより、排泄液の長手方向Ｌの拡散が抑制され、漏れが低減され、それにより吸収性能を向上できる。すなわち、本吸収性物品では、吸収性能を維持しつつ、消費者が吸収体３を不良と考え難くでき、吸収性物品１の良品感を損なわないようにできる。
【００５９】
また、本実施の形態における好ましい形態として、吸収体３は、長手方向Ｌの端縁３Ｔ１（、３Ｔ２）が、それぞれ略幅方向Ｗに沿って、長手方向Ｌの外側に対して凹に湾曲した凹湾曲線と、長手方向Ｌの外側に対して凸に湾曲した凸湾曲線と、長手方向Ｌの外側に対して凹に湾曲した他の凹湾曲線と、に縁取られている。このとき、端縁３Ｔ１（、３Ｔ２）は、それぞれ凸湾曲線の長手方向Ｌの外側の頂点と長手方向中心線ＣＬとが一致して、長手方向中心線ＣＬに対して線対称な形状となる。しかし、その一方で、吸収体３の端縁３Ｔ１（、３Ｔ２）は凹形状、凸形状及び凹形状がこの順に互いに連結した略波状の曲線とみることができる。そのため、消費者は端縁３Ｔ１（、３Ｔ２）を連続的な形状と認識して、吸収体３の幅方向Ｗの中心を意識し難くなる。この効果と、上記の第１の圧搾部２１及び第２の圧搾部２２の効果とが相乗的に働き、消費者は第１の圧搾部２１及び第２の圧搾部２２の位置ずれを更により認識し難くなる。その結果、一対の圧搾溝１１ａ、１１ｂの位置がずれても、その位置ずれを認識し難くすることができる。
【００６０】
また、本実施の形態における好ましい形態として、設計上、上記の吸収体３の長手方向Ｌの端縁３Ｔ１（、３Ｔ２）は、本体部２ａの長手方向Ｌの端縁２Ｔ１（、２Ｔ２）との距離は幅方向Ｗに沿って一定ではない。そして、吸収体３の長手方向Ｌの端部の形状は、本体部２ａの長手方向Ｌの端部の形状と互いに相似でない。ここで、本体部２ａの長手方向Ｌの端部は、表面シート４及び裏面シート５で形成される。したがって、吸収体３の端部と、表面シート４及び裏面シート５の端部との距離は一定ではなく、両者の端部の形状は互いに相似でもない。それにより、吸収体３の長手方向Ｌの端部の頂部と、本体部２ａの長手方向Ｌの端部の頂部とが互いに幅方向Ｗにずれた（長手方向Ｌから見てずれた）としても、その位置ずれをより認識し難くできる。その効果と、上記の第１の圧搾部２１及び第２の圧搾部２２の効果とが相乗的に働き、消費者は第１の圧搾部２１及び第２の圧搾部２２の位置ずれを更により認識し難くなる。その結果、一対の圧搾溝１１ａ、１１ｂの位置がずれても、その位置ずれを認識し難くすることができる。
【００６１】
次に、吸収性物品１の製造方法の一例を説明する。図６は吸収性物品１の製造装置３００の構成を示す模式図である。製造装置３００は、第１の形成工程を実行する第１の形成ユニット３００Ａと、第２の形成工程を実行する第２の形成ユニット３００Ｂと、第３の形成工程を実行する第３の形成ユニット３００Ｃと、第４の形成工程を実行する第４の形成ユニット３００Ｄと、を備える。吸収性物品の製造方法は、第１の形成工程乃至第４の形成工程、を備える。この例では、吸収性物品１の幅方向Ｗが搬送方向ＭＤとなるようにして各資材が形成され搬送される。その場合、吸収体３の幅が相対的に短いため、第１の圧搾部２１〜第４の圧搾部２４及び一対の圧搾溝１１ａ、１１ｂを形成する工程において、幅方向Ｗすなわち搬送方向ＭＤに、第１の圧搾部２１〜第４の圧搾部２４及び一対の圧搾溝１１ａ、１１ｂが位置ずれを起こし易くなる。そのため、上記本実施の形態の吸収性物品１の構成が極めて有効になる。ただし、吸収性物品１の長手方向Ｌが搬送方向ＭＤとなるようにして各資材が形成され搬送されてもよい。
【００６２】
第１の形成工程では、積繊装置１１０の回転ドラム１１１が回転され、材料供給器１１３から供給された積繊材料がパターンプレート１１２の負圧室１１１Ｎに連通した溝内に堆積し、溝内に積繊体ＡＢが形成される。次に、パターンプレート１１２が積繊体ＡＢと共に正圧室１１１Ｐに到達すると、積繊体ＡＢがパターンプレート１１２から離脱される。一方、連続シート状の上層ティッシュシートＵＴがロールＷＲ１から搬送ベルト１１５に供給される。上層ティッシュシートＵＴの一方の面には塗布装置３０１によりホットメルト接着剤が塗布されている。そして、積繊体ＡＢは、搬送ベルト１１５上の上層ティッシュシートＵＴの一方の面の上に押し付けられる。それにより第１の半製品Ｐ１が形成される。第１の半製品Ｐ１はサクション装置１１６で吸引され搬送ベルト１１５で搬送される。次に、連続シート状の下層ティッシュシートＬＴがロールＷＲ２から搬送ベルト１１５に供給される。下層ティッシュシートＬＴの一方の面には塗布装置３０２によりホットメルト接着剤が塗布されている。下層ティッシュシートＬＴの一方の面が搬送ベルト１１５上の第１の半製品Ｐ１に押し付けられる。それにより第２の半製品Ｐ２が形成される。次に、第２の半製品Ｐ２は押圧装置１２０で押圧され、切断装置１３０で吸収体３の形状に切断される。それにより吸収体３である第３の半製品Ｐ３が形成される。第３の半製品Ｐ３は搬送ロール１４１へ受け渡される。本実施の形態ではの吸収体３では、積繊体が吸収性コアであり、上層及び下層ティッシュシートがコアラップである。
次に、第２の形成工程では、連続シート状の表面シートＴＳがロールＷＲ３から搬送ベルト１４０に供給される。表面シートＴＳの一方の面には塗布装置３０３によりホットメルト接着剤が塗布される。搬送ロール１４１から供給される第３の半製品Ｐ３は、表面シートＴＳの一方の面に押し付けられる。それにより第４の半製品Ｐ４が形成される。次に、第４の半製品Ｐ４が表面シートＴＳの側から圧搾装置１５０で圧搾され、第１の圧搾部２１〜第４の圧搾部２４、及び、一対の圧搾溝１１ａ、１１ｂが同時に形成され（同時でなく互いに別工程（別の圧搾装置）で形成されても可）、第５の半製品Ｐ５が形成される。第５の半製品Ｐ５は搬送ロール１６０に受け渡される。
【００６３】
次に、第３の形成工程では、連続シート状の裏面シートＢＳがロールＷＲ４から搬送ロール１６１に供給される。裏面シートＢＳの一方の面には塗布装置３０４によりホットメルト接着剤が塗布される。搬送ロール１６１から供給される裏面シートＢＳは、第５の半製品Ｐ５の一方の面に搬送ロール１６０上で押し付けられる。それにより第６の半製品Ｐ６が形成される。第６の半製品Ｐ６は搬送ロール１７０に受け渡される。
次に、第４の形成工程では、連続シート状の剥離シートＣＴがロールＷＲ５から裏面固定部形成装置１７１へ供給される。剥離シートＣＴの一方の面には塗布装置３０５によりホットメルト接着剤が塗布される。剥離シートＣＴは、裏面固定部形成装置１７１にて所定形状に切断される。それにより剥離シートＣＴは個々の剥離シートになり、ホットメルト接着剤は固定部になる。そして、本体部２ａ用の固定部付きの個々の剥離シートが第６の半製品Ｐ６に押し付けられる。それにより第７の半製品Ｐ７が形成される。次に、第７の半製品Ｐ７は、周囲封止装置１８０により周囲部分を加熱されて熱シールで縁取られる。それにより第８の半製品Ｐ８が形成される。第８の半製品Ｐ８は搬送ロール１９０に搬送される。次に、連続シート状の剥離シートＦＴがロールＷＲ６からフラップ固定部形成装置１９１に供給される。剥離シートＦＴの一方の面には塗布装置３０６によりホットメルト接着剤が塗布される。剥離シートＦＴは、フラップ固定部形成装置１９１にて所定形状に切断される。それにより剥離シートＦＴは個々の剥離シートになり、ホットメルト接着剤は固定部になる。そして、フラップ部２ｂ用の固定部付きの個々の剥離シートが第８の半製品Ｐ８に押し付けられる。それにより第９の半製品Ｐ９が形成される。次に、第９の半製品Ｐ９は、周囲切断装置２００により周囲部分を切断され、吸収性物品１の形状に分離される。それにより第１０の半製品Ｐ１０が形成される。第１０の半製品Ｐ１０は転写ロール２１０へ受け渡される。次に、連続シート状の包装シートＷＴがロールＷＲ７から転写ロール２１０に供給される。包装シートＷＴの一方の面には塗布装置３０７によりホットメルト接着剤が所定形状に塗布される。包装シートＷＴは、転写ロール２１０の外周面に吸引されて搬送される第１０の半製品Ｐ１０上にホットメルト接着剤を介して積層される。それにより包装シートＷＴが積層された吸収性物品１が形成される。吸収性物品１は包装工程へ搬送される。公知の方法で行われる包装工程については記載を省略する。
【００６４】
以上のようにして、包装された吸収性物品１が製造される。
【００６５】
（第２の実施の形態）
次に、本実施の形態に係る吸収性物品について説明する。以下では、第１の実施の形態に係る吸収性物品との相違点について主に説明する。図７は吸収性物品を示す図である。第１の実施の形態の吸収性物品１と比較すると、本実施の形態の吸収性物品１では、第１の圧搾部２１及び第２の圧搾部２２の構成が相違する。更に本実施の形態では第３の圧搾部２３及び第４の圧搾部２４の構成が相違する。以下具体的に説明する。
【００６６】
本実施の形態では、第１の圧搾部２１及び第２の圧搾部２２が、それぞれ複数の圧搾部から構成されている。更に本実施の形態では第３の圧搾部２３及び第４の圧搾部２４は、それぞれ複数の圧搾部から構成されている。複数の圧搾部の形状はすべて円形状である。すなわち、第１の圧搾部２１は円形状の二つの圧搾部２１ａ、２１ｂから構成され、第２の圧搾部２２は円形状の三つの圧搾部２２ａ、２２ｂ、２２ｃから構成され、第３の圧搾部２３は円形状の三つの圧搾部２３ａ、２３ｂ、２３ｃから構成され、第４の圧搾部２４は円形状の二つの圧搾部２４ａ、２４ｂから構成される。
【００６７】
第１の圧搾部２１〜第４の圧搾部２４の各々が複数の圧搾部から構成される場合、その複数の圧搾部の各々の重心同士を一直線に繋いだ重心線を基準線とする。そして、その基準線と長手方向中心線ＣＬとが交わる角度をもって、第１の圧搾部２１〜第４の圧搾部２４の各々における「相対的な傾き」とする。なお複数の圧搾部が３個以上の圧搾部であり、重心同士が一つの直線で繋がらないときには、最小二乗法で最適な直線を求める。
【００６８】
また、第１の圧搾部２１〜第４の圧搾部２４の各々が複数の圧搾部から構成される場合、二つの圧搾部から構成されている場合、二つの圧搾部の重心の中間の位置を二つの圧搾部の「相対的な位置」とし、三つ以上の圧搾部から構成されている場合、それら圧搾部の重心を頂点とする多角形の重心の位置を三つ以上の圧搾部の「相対的な位置」とする。
【００６９】
すなわち、第１の圧搾部２１では、圧搾部２１ａの重心Ｇ２１ａと、圧搾部２１ｂの重心Ｇ２１ｂと、を繋ぐ第１の重心線ＧＬ２１を第１の基準線とする。第１の角度α１は、長手方向中心線ＣＬと第１の基準線との成す角である。第２の圧搾部２２では、圧搾部２２ａの重心Ｇ２２ａと、圧搾部２２ｂの重心Ｇ２２ｂと、圧搾部２２ｃの重心Ｇ２２ｃと、を繋ぐ第２の重心線ＧＬ２２を第２の基準線とする。第２の角度β１は、長手方向中心線ＣＬと第２の基準線との成す角である。第３の圧搾部２３では、圧搾部２３ａの重心Ｇ２３ａと、圧搾部２３ｂの重心Ｇ２３ｂと、を繋ぐ第３の重心線ＧＬ２３を第３の基準線とする。第３の角度α２は、長手方向中心線ＣＬと第３の基準線との成す角である。第４の圧搾部２４では、圧搾部２４ａの重心Ｇ２４ａと、圧搾部２４ｂの重心Ｇ２４ｂと、圧搾部２４ｃの重心Ｇ２４ｃと、を繋ぐ第４の重心線ＧＬ２４を第４の基準線とする。第４の角度β２は、長手方向中心線ＣＬと第４の基準線との成す角である。
【００７０】
本実施の形態についても、第１の実施の形態と同様の効果を奏することができる。また、本実施の形態において、第１の圧搾部２１及び第２の圧搾部２２が、複数の圧搾部から構成されることにより、消費者の意識をその複数の圧搾部２１ａ、２１ｂ、２２ａ、２２ｂ、２２ｃに向けさせることができ、消費者が第１の圧搾部２１及び第２の圧搾部２２と長手方向中心線ＣＬや吸収体３の端縁３ａ、３ｂとの関係などをより意識しないようさせることができる。その視覚的な効果により、一対の圧搾溝１１ａ、１１ｂの幅方向Ｗの位置ずれを消費者により認識し難くすることができる。
【００７１】
更に、本実施の形態では、第３の圧搾部２３及び第４の圧搾部２４が、複数の圧搾部から構成されることにより、消費者の意識を更にその複数の圧搾部２３ａ、２３ｂ、２４ａ、２４ｂ、２４ｃに向けさせることができ、消費者が第１の圧搾部２１及び第２の圧搾部２２と長手方向中心線ＣＬや吸収体３の端縁３ａ、３ｂとの関係などを更により意識しないようさせることができる。その視覚的な効果により、一対の圧搾溝１１ａ、１１ｂの幅方向Ｗの位置ずれを消費者に更により認識し難くすることができる。
【００７２】
なお、本実施の形態では、第１の圧搾部２１及び第２の圧搾部２２、又は、第３の圧搾部２３及び第４の圧搾部２４のいずれもが複数の圧搾部から構成されているが、本実施の形態はこの例に限定されるものでは無い。例えば、第１の圧搾部２１、第２の圧搾部２２、第３の圧搾部２３及び第４の圧搾部２４のうちの少なくとも一つが複数の圧搾部から構成されていてもよく、それにより上記の効果と同様の効果を奏することができる。また、第１の圧搾部２１〜第４の圧搾部２４の各々において、複数の圧搾部の各々のパターンの傾き（傾きの定義は第１の実施の形態と同様）については特に制限はなく、複数の圧搾部のうちの他の圧搾部と同じであってもよく、異なっていてもよく、基準線の傾きと同じ傾きであってもよく、異なる傾きであっていてもよい。同じ場合には模様が認識し易くなり圧搾部に消費者の注意が向き、異なる場合には圧搾部と長手方向中心線や吸収体の端縁との関係をより認識し難くなり、いずれの場合にも位置ずれを認識し難くできる。
【００７３】
次に本実施の形態に係る吸収性物品の変形例について説明する。図８は吸収性物品の変形例を示す図である。図７の吸収性物品１と比べ、第１の圧搾部２１〜第２の圧搾部２２を構成する複数の圧搾部の形状は全てハート形状であり、第３の圧搾部２３〜第４の圧搾部２４を構成する複数の圧搾部の形状は全て花形状である点で相違し、第２の圧搾部２２及び第３の圧搾部２３を構成する複数の圧搾部の数が二つに減少している点で相違する。
【００７４】
このように本実施の形態では、第１の圧搾部２１〜第４の圧搾部２４の各々を構成する複数の圧搾部のパターンの数や種類や組み合わせは特に制限はない。したがって、第１の圧搾部２１〜第４の圧搾部２４の各々において、パターンの数や種類や組み合わせが互いに異なっていてもよい。あるいは、第１の圧搾部２１〜第４の圧搾部２４の各々を構成する複数の圧搾部において、パターンの数や種類や組み合わせが互いに異なっていてもよい。そのような場合でも、図７の吸収性物品と同様の作用効果を奏することができる。
【００７５】
（第３の実施の形態）
次に、本実施の形態に係る吸収性物品について説明する。以下では、第１の実施の形態に係る吸収性物品との相違点について主に説明する。図９は吸収性物品を示す図である。第１の実施の形態の吸収性物品１と比較すると、本実施の形態の吸収性物品１では、吸収体３の幅方向Ｗの両端縁３ａ、３ｂの構成が相違する。以下具体的に説明する。
【００７６】
本実施の形態では、吸収体３の幅方向Ｗの両側の端縁３ａ、３ｂは、幅方向Ｗの外側に対して凸に湾曲した外縁を有する凸湾曲領域３０と、幅方向Ｗの外側に対して凹に湾曲した外縁を有する凹湾曲領域３１とが、長手方向Ｌに沿って交互に連続した形状、すなわち波形の形状を有する。ただし、この波形の形状には特に制限はない。
【００７７】
本実施の形態についても第１の実施の形態と同様の効果を奏することができる。
更に、本実施の形態では、吸収体３の両端縁３ａ、３ｂが幅方向Ｗの外側に対して凸に湾曲した外縁と凹に湾曲した外縁とが交互に連続した形状、すなわち波形の形状を有しているため、消費者は吸収体の端縁３ａ、３ｂと、一対の圧搾溝１１ａ、１１ｂとの距離を認識し難くなる。そのような場合、消費者は、一対の圧搾溝１１ａ、１１ｂの位置が幅方向Ｗにずれていても、位置ずれと認識し難くなる。すなわち、一対の圧搾溝１１ａ、１１ｂに幅方向Ｗの位置ずれを消費者に認識し難くすることができ、吸収性物品１の良品感を損なわないようにできる。なお、端縁３ａ、３ｂは、長手方向中心線ＣＬに対して線対称であってもよいし、非線対称であってもよい。線対称の場合には美観が向上して波形の曲線に消費者の注意が向き、非線対称の場合には一対の圧搾溝１１ａ、１１ｂとの距離をより認識し難くなり、いずれの場合にも位置ずれを認識し難くできる。
【００７８】
本発明の吸収性物品は、上記の実施の形態に制限されず、本発明の目的、趣旨を逸脱しない範囲内で、実施の形態同士を組み合わせたり、変更したりすること等が可能である。
【符号の説明】
【００７９】
１    吸収性物品              ３    吸収体
４    表面シート              ５    裏面シート
１１ａ、１１ｂ    圧搾溝      ２１    第１の圧搾部
２２    第２の圧搾部          Ｇ２１、Ｇ２２    重心
【図１】
2018061218.tif 000003
【図２】
2018061218.tif 000004
【図３】
2018061218.tif 000005
【図４】
2018061218.tif 000006
【図５】
2018061218.tif 000007
【図６】
2018061218.tif 000008
【図７】
2018061218.tif 000009
【図８】
2018061218.tif 000010
【図９】
2018061218.tif 000011
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
長手方向、幅方向及び厚さ方向を有し、表面シート、裏面シート及び前記表面シートと前記裏面シートとの間に配置された吸収体を備え、長手方向中心線を挟んで両側の領域にそれぞれ位置する一対の圧搾溝を含む吸収性物品であって、
前記表面シートと前記吸収体とが厚さ方向に重なる領域において、前記一対の圧搾溝から前記長手方向の一方に向って離れた位置に、前記幅方向に沿って並んだ第１の圧搾部及び第２の圧搾部を備え、
前記一対の圧搾溝、前記第１の圧搾部及び前記第２の圧搾部は、前記表面シートと前記吸収体とを接合し、
前記第１の圧搾部は平面視で第１のパターンを形成する溝を含み、前記第１のパターンの重心は前記長手方向中心線に対して一方側に位置し、
前記第２の圧搾部は平面視で前記第１のパターンとは異なる第２のパターンを形成する溝を含み、前記第２のパターンの重心は前記長手方向中心線に対して他方側に位置し、
前記第１の圧搾部と前記第２の圧搾部とは、前記長手方向中心線に対する相対的な位置及び傾きの少なくとも一つが互いに異なり、
前記第１の圧搾部は、前記吸収体における前記幅方向の一方の端縁に、他の圧搾溝を介さずに面しており、前記第２の圧搾部は、前記吸収体における前記幅方向の他方の端縁に、他の圧搾溝を介さずに面している、
吸収性物品。
【請求項２】
前記第１の圧搾部及び前記第２の圧搾部の各々における前記幅方向の大きさは、前記吸収体の幅方向の大きさの１／１０以上、３／４以下である、
請求項１に記載の吸収性物品。
【請求項３】
前記第１の圧搾部及び前記第２の圧搾部における一方の前記幅方向の大きさは、他方の前記幅方向の大きさの２５％以上、４００％以下である、
請求項１又は２に記載の吸収性物品。
【請求項４】
前記第１の圧搾部の前記幅方向に沿った第１の基準線と前記長手方向中心線との成す第１の角度、及び、前記第２の圧搾部の前記幅方向に沿った第２の基準線と前記長手方向中心線との成す第２の角度は、３０°以上１５０°以下である、
請求項１乃至３のいずれか一項に記載の吸収性物品。
【請求項５】
前記第１の角度及び前記第２の角度の角度差は、０°以上、４０°以下である、
請求項４に記載の吸収性物品。
【請求項６】
前記第１の圧搾部及び前記第２の圧搾部の少なくとも一方は、複数の圧搾部から構成される、
請求項１乃至５のいずれか一項に記載の吸収性物品。
【請求項７】
前記表面シートと前記吸収体とが厚さ方向に重なる領域において、前記一対の圧搾溝から前記長手方向の他方に向って離れた位置に、前記幅方向に沿って並んだ第３の圧搾部及び第４の圧搾部を更に備え、
前記前記第３の圧搾部及び前記第４の圧搾部は、前記表面シートと前記吸収体とを接合し、
前記第３の圧搾部は、平面視で第３のパターンを形成する溝を含み、前記第３のパターンの重心が前記長手方向中心線に対して一方側に位置し、前記吸収体の一方の端縁に面しており、
前記第４の圧搾部は、平面視で前記第３のパターンとは異なる第４のパターンを形成する溝を含み、前記第４のパターンの重心が前記長手方向中心線に対して他方側に位置し、前記吸収体の他方の端縁に面しており、
前記第３の圧搾部と前記第４の圧搾部とは、前記長手方向中心線に対する相対的な位置及び傾きの少なくとも一つが互いに異なり、
前記第３の圧搾部は、前記吸収体における前記幅方向の前記一方の端縁に、他の圧搾溝を介さずに面しており、前記第４の圧搾部は、前記吸収体における前記幅方向の前記他方の端縁に、他の圧搾溝を介さずに面している、
請求項１乃至６のいずれか一項に記載の吸収性物品。
【請求項８】
前記一方の外側の前記複数の圧搾部の前記第１の圧搾部及び前記第２の圧搾部と前記長手方向中心線との成す第１の角度及び第２の角度と、前記他方の外側の前記複数の圧搾部の前記第３の圧搾部及び前記第２の圧搾部と前記長手方向中心線との成す第３の角度及び第４の角度とにおいて、前記第１の角度と前記第３の角度とは相違し、前記第２の角度と前記第４の角度とは相違する、
請求項７に記載の吸収性物品。
【請求項９】
前記第１の角度、前記第２の角度、前記第３の角度及び前記第４の角度は、互いに相違する、
請求項８に記載の吸収性物品。
【請求項１０】
前記第１の圧搾部の前記幅方向の大きさと、前記第２の圧搾部の前記幅方向の大きさと、前記第３の圧搾部の前記幅方向の大きさと、前記第４の圧搾部の前記幅方向の大きさとは、互いに相違する、
請求項７乃至９のいずれか一項に記載の吸収性物品。
【請求項１１】
前記第１の圧搾部と前記第２の圧搾部との間の前記幅方向の距離は、前記一対の圧搾溝に近づくに連れて大きくなり、
前記第３の圧搾部と前記第４の圧搾部との間の前記幅方向の距離は、前記一対の圧搾溝に近づくに連れて大きくなる、
請求項７乃至１０のいずれか一項に記載の吸収性物品。
【請求項１２】
前記吸収体の前記幅方向の両側の端縁は、前記幅方向の外側に対して凸に湾曲した外縁を有する凸湾曲領域と、前記幅方向の外側に対して凹に湾曲した外縁を有する凹湾曲領域とが、前記長手方向に沿って交互に連続した形状を有する、
請求項１乃至１１のいずれか一項に記載の吸収性物品。
【国際調査報告】
2018061218.tif 000012
2018061218.tif 000013
2018061218.tif 000014
2018061218.tif 000015